(57)【要約】【課題】貸球供給ノズル１０３を配球位置に配置したままの状態で、前扉３の開閉を行うことのできるパチンコ機とする。【解決手段】パチンコ機の前面を覆う前面枠２の側部に、遊技領域２０を覆う前扉３と、前扉３の下端縁に重ねられる上端縁を有する球受皿４１とを設けた受皿扉４をそれぞれ開閉可能に取付ける。受皿扉４は、隣接して配置される貸球機１０１から球受皿４１上に延びる貸球供給ノズル１０３の背部に受皿扉４を配置し、前扉３を開放する際に前扉３が貸球供給ノズル１０３にぶつからないように形成する。これにより、貸球供給ノズル１０３を配球位置のままで、前扉３を開閉することができる。【選択図】  図２
2004313566.tif 000002
【特許請求の範囲】
【請求項１】
前面を覆う前面枠の側部に、遊技領域を覆う前扉と、該前扉の下端縁に重ねられる上端縁を有する球受皿とを設けた受皿扉をそれぞれ開閉可能に取付けられたパチンコ機において、
前記受皿扉は、隣接して配置される貸球機から前記球受皿上に延びる貸球供給ノズルの背部に前記受皿扉が配置され、前記前扉を開放する際に該前扉が該貸球供給ノズルにぶつからないで開放可能に形成されていることを特徴とするパチンコ機。
【請求項２】
遊技球を発射する遊技球発射槌が遊技盤の左側に設けられていることを特徴とする請求項１記載のパチンコ機。
【発明の詳細な説明】
【０００１】
【発明の属する技術分野】
この発明は、パチンコ機に関する。
【０００２】
【従来の技術】
図８に示すように、パチンコ機は、方形の外枠１ｍに囲まれ、この外枠１ｍの前面にほぼ外枠１ｍの前面を覆う前面枠２ｍがヒンジ１０ｍにより開閉可能に取付けられている。この前面枠２ｍにパチンコ機の主要部品が取付けられている遊技盤２０ｍが固定されている。遊技盤２０ｍには、上部に遊技領域２２ｍが形成され、この遊技領域２２ｍの下方に球発射装置やこれに連続する発射レールなどが設けられている。さらにこれらの下方に下皿２５ｍ、発射ハンドル２６ｍ、灰皿２７ｍなどがそれぞれ設けられている。
【０００３】
ここで、前面枠２ｍの左側に設けたヒンジにより前扉３ｍが開閉可能に取付けられ、また、その下方に球受皿４１ｍを備えた受皿扉４ｍが前面枠２ｍの左側枠にヒンジにより開閉可能に取付けられている。この二枚の前扉３ｍと受皿扉４ｍは、前扉３ｍの下端縁に沿って受皿扉４ｍの上端縁に重なる構成とされている。係る従来の多くのパチンコ機では、前扉３ｍの下端縁が横方向に直線的に形成されていて、この方形の前扉３ｍの範囲内で種々の装飾を施して、遊技者の趣味感を満足させている。
【０００４】
最近では、特許文献１や特許文献２に示めされているように、意匠感を増す目的で、前扉３ｍの下端縁を、左側を高くして、斜めに構成したパチンコ機も現れている。
【０００５】
遊技島に設置される現金型のパチンコ機では、図９に示すように、左側に球貸機１０１が隣接して設置され、球貸機本体１０２から延びる貸球供給ノズル１０３によって球受皿４１ｍ上へパチンコ球が供給される。この貸球供給ノズル１０３は、新たに交換したパチンコ機にも対応できるようにほぼ同じ高さに設けられていて、右方向に回転して、パチンコ機の前面に対してほぼ平行な配球位置に配置して、球貸機本体１０２から供給される貸球が貸球供給ノズル１０３の先端から球受皿４１ｍ上に流入するようにされている。
【０００６】
【特許文献１】特開平１１−２２１３２３号公報
【特許文献２】特開２００１−１９８３１３号公報
【０００７】
【発明が解決しようとする課題】
従来のパチンコ機では、遊技中に、遊技領域２２ｍに打付けられた釘間に遊技球が挟まったりするなど遊技に支障を生じると、ホール係員は前扉３ｍを開いて、遊技球を遊技領域２２ｍから取り除くなど、頻繁に開閉する必要がある。この場合、前扉３ｍを開放しようとすると、前扉３ｍが貸球供給ノズル１０３と衝突して、貸球供給ノズル１０３に損傷を与えることがある。特に、貸球供給ノズル１０３の先端が球受皿の上縁面より下方にまで侵入している場合には、貸球供給ノズル１０３は、前扉３ｍと球受皿４１ｍとの間に挟まれて、破損するおそれがさらに高くなる。このような損傷を避けるためには、配球位置にある貸球供給ノズル１０３内にパチンコ球が残留していないことを確認した上で、貸球供給ノズル１０３を退避位置に移動するために水平または上方に回転してから前扉３ｍの開閉を行う必要があった。なお、特許文献１及び特許文献２に開示されているパチンコ機は、貸球供給ノズル１０３との関係を配慮しておらず、単に意匠感を増すための発明であるために、前扉の下端縁の左側をわずかに高くしたに過ぎず、これらの課題を解消するものではない。
【０００８】
そこで、この発明では、貸球供給ノズルを配球位置に配置したままの状態で、前扉の開閉を行うことのできるパチンコ機とすることを目的としている。
【０００９】
【課題を解決するための手段】
請求項１の発明では、前面を覆う前面枠の側部に、遊技領域を覆う前扉と、前扉の下端縁に重ねられる上端縁を有する球受皿とを設けた受皿扉をそれぞれ開閉可能に取付けられたパチンコ機において、受皿扉は、隣接して配置される貸球機から球受皿上に延びる貸球供給ノズルの背部に受皿扉が配置され、前扉を開放する際に前扉が貸球供給ノズルにぶつからないで開放可能に形成されている。
【００１０】
この構成によって、パチンコ機に隣接して配置される貸球機から球受皿上に延びる貸球供給ノズルを退避位置に移動しなくても前扉の開閉を行うことができる。なお、遊技球を発射する遊技球発射槌が遊技盤の右側に設けられているパチンコ機や左側に設けられているパチンコ機にも本発明を適用することができる。
【００１１】
【発明の効果】
請求項１の発明では、受皿扉は、隣接して配置される貸球機から球受皿上に延びる貸球供給ノズルの背部に受皿扉が配置され、前扉を開放する際に前扉が貸球供給ノズルにぶつからないで開放可能に形成されていることによって、貸球供給ノズルを配球位置に配置したままの状態で、前扉の開閉を可能としたパチンコ機とすることができる。
【００１２】
【発明の実施の形態】
以下、この発明の実施例１を、図面を参照して詳細に説明する。
【００１３】
図１に示すように、パチンコ機の台間に設置される球貸機１０１は、遊技島１００に取付けられていて、球貸機本体１０２から前面へ突出する貸球供給ノズル１０３が設けられている。この貸球供給ノズル１０３は、多くのパチンコ機にも対応できるようにほぼ同じ高さに設けられていて、球貸機本体１０２に対して、右方向及び上方向に回転可能に取付けられている。貸球供給ノズル１０３を右方向に回転して、パチンコ機の前面に対して平行に配置した配球位置と、上方に起立した退避位置とに移動することが可能になっている。
【００１４】
図１は、貸球供給ノズル１０３を配球位置とした状態を示し、球貸機本体１０２から供給される貸球は、貸球供給ノズル１０３を流下してノズル先端１０４から吐出される。通常貸球供給ノズル１０３を配球位置に配置して遊技される。
【００１５】
パチンコ機は、この球貸機１０１の右側に接して設置される。
【００１６】
パチンコ機の外枠１は、図２に示すように、矩形の枠状とされていて、一般に釘により直接遊技島１００に取付けられている。外枠１の上下二カ所で前面枠２が外枠ヒンジ１０、１０により開閉可能に取付けられている。前面枠２は、外枠１の下部１１を露出し、左右と上部が外枠１の外形に倣って同形とされて外枠１の前面を覆っている。
【００１７】
この前面枠２の内側に遊技盤２０が固定されている。遊技盤２０は、その裏面にパチンコ機の主要部品が取付けられ、また前面に略円形に固定された誘導レール２１により区画される遊技領域２２が設けられるもので、その上部は前面枠２に嵌合するように略方形に形成されている。
【００１８】
図４に示すように、遊技盤２０の下縁により略直線状に区画された下方には、遊技球発射槌２３などが取付けられている矩形の腰板パネル２４が前面枠２に固定されている。この腰板パネル２４の左側には、遊技盤２０の裏面に設けられた賞球排出通路４３の賞球口４４が開口されている（図４参照）。
【００１９】
腰板パネル２４の下方には、下皿２５が中央に、発射ハンドル２６が右側に、さらに灰皿２７が左側にそれぞれ設けられている。
【００２０】
遊技盤２０の前面には、図２、図４に示すように、遊技盤２０の前面を覆う略方形の前扉３が前面枠２の左側部に設けた前扉ヒンジ３１、３１により開閉可能に取付けられている。この前扉３は遊技領域２２に対応する部位にガラスなどの透明板が嵌められている。
【００２１】
遊技領域２２を覆う前扉３は、正面から見て、略方形をなし、その下部左側の隅部に斜めに直線的に切欠された切欠部３２が形成されている。この切欠部３２により、前扉３は配球位置とした貸球供給ノズル１０３の後方位置を避けていて、貸球供給ノズル１０３が前扉３の前面へはみ出すことがないように形成されている。
【００２２】
また、図２に示すように、前扉３の下方に、パチンコ球を貯留する球受皿４１が前方に膨出して一体成形された受皿扉４が設けられている。この受皿扉４は、腰板パネル２４を覆う略方形とされ、前面枠２の左側部に受皿扉ヒンジ４０、４０により開閉可能に取付けられている。
【００２３】
この受皿扉４の上端縁は、前扉３の下端縁と重なって取付けられ、前扉３の下端縁に沿った形状とされている（図３参照）。これによって、前扉３を開放した上で受皿扉４を開放可能とされている。すなわち、前扉３には切欠部３２が形成されていることに伴い、受皿扉４の左上部は、この切欠部３２に対応して貸球供給ノズル１０３の背部となる部位をカバーしていて、前扉３を開放する際に前扉が貸球供給ノズルにぶつからないように、受皿扉ヒンジ４０、４０側では、従来のパチンコ機よりもその縦幅を広く形成されている。このようにこの実施例１では、前面枠２の左枠の二カ所に設ける受皿扉ヒンジ４０、４０は、従来のパチンコ機よりもその間隔を広くされていて、受皿扉４の取付強度が大きくなっている。なお、この実施例１では、受皿扉ヒンジ４０を二カ所に設けた例を示しているが、中央に一カ所設けてもよく、この際にも、従来のパチンコ機よりも取付強度の大きな長い受皿扉ヒンジに取付けることが可能になる。この二枚の扉（受皿扉４および受皿扉４）により、前面枠２の遊技領域２２と腰板パネル２４が覆われている。
【００２４】
以上詳述した実施例１のパチンコ機の作用について説明する。
図１に示すように、貸球供給ノズル１０３はパチンコ機の前面に対して平行位置とした配球位置にセットされ、ノズル先端１０４が球受皿４１の上方位置とされている。遊技者は、球貸機１０１から貸球の供給を受けて、遊技を開始する。遊技領域２２に打付けられた遊技釘などに遊技球が挟まるなど遊技に障害が発生すると、ホール従業員が前扉３を開放し、遊技盤２０に対して、遊技領域２２を露出して挟まった遊技球を取り除く。図２に示すように、ホール従業員がこの前扉３を開放するに際して、前扉３の下端縁は切欠部３２が設けられており、貸球供給ノズル１０３は受皿扉４の前面に配置されているために、貸球供給ノズル１０３を配球位置にセットしたままの状態で、貸球供給ノズル１０３に衝突することなく前扉３を開放できる。
【００２５】
特に、従来のパチンコ機では、貸球供給ノズル１０３を退避位置に移動してから前扉３を開放するために、待避位置に置かれた貸球供給ノズル１０３に衝突しない範囲でしか前扉３を開放することができなかった。これに対して、この実施例では、前扉３は貸球供給ノズル１０３に衝突することがないために、前扉３を図２に示すように大きく開放できる。
【００２６】
また、前扉３を開放して行う点検作業の際に、図５に示すように、前扉３を設置面に対して、約１８０°近く開放した後に、貸球供給ノズル１０３の先端側を前扉３の内側に起立すれば、貸球供給ノズル１０３がストッパの機能を発揮して、前扉３が意に反して閉じることを防止して、容易に点検作業をすることができる。なお、図示しないが、前扉３を設置面に対して、約９０°程度に開くなど、任意の角度に開放した後に、貸球供給ノズル１０３の先端側を前扉３の内側に起立して、意に反して前扉３が閉じることを防止することができる。
【００２７】
また、遊技球発射槌の近傍でのトラブルを生じた際には、前扉３を開放するとともに、貸球供給ノズル１０３をパチンコ盤面に対して直角方向に移動した退避位置に移動してから受皿扉４も開放して、腰板パネル２４を露出することによって受皿扉４の裏面などを点検する。この際、受皿扉４に多量のパチンコ球が貯留されていても、受皿扉ヒンジ４０、４０は、従来のパチンコ機よりもその間隔を広くされていて、取付強度が大きくなっているために、受皿扉４は従来のパチンコ機よりも、受皿扉４のがたつきが防止され、長期にわたって、円滑に受皿扉４の開閉を行うことができる。
【００２８】
図６、図７は、実施例２を示し、遊技球発射槌２３ａが左側に設けられているパチンコ機に適用した例である。遊技球発射槌２３ａを左側に設けたことに伴い賞球口４４ａが右側に設けられている。この実施例２においても、遊技領域２２ａを覆う前扉３ａは、前面枠２ａの左側の枠に前扉ヒンジ３１ａにより開閉可能に取付けられている。そして、正面から見て、その下部左側に、配球位置とした貸球供給ノズル１０３の後方位置を避けて、斜めに直線的に切欠された切欠部３２ａが形成されて、貸球供給ノズル１０３が前扉３ａの前方にはみ出すことがないように形成されている。
【００２９】
また、前扉３ａの下方に腰板パネル２４ａを覆う受皿扉４ａが、前面枠２ａの側部に設けた受皿扉ヒンジ（図示しない。）により開閉可能に取付けられている。この受皿扉４ａは、腰板パネル２４ａのほぼ前面を覆うとともに、遊技球発射槌２３ａを駆動する遊技球発射機構を露出して点検可能なように下皿２５ａの左側から下方に延びて、灰皿２７ａをもこの受皿扉４ａを設けていて、その縦幅が著しく広く形成されている。従って、実施例１のパチンコ機と同様に、貸球供給ノズル１０３を配球位置にセットしたままの状態で、前扉３ａを貸球供給ノズル１０３に衝突することなく開放できる。
【００３０】
なお、この実施例２の受皿扉４ａの左側は著しく縦幅を大きく形成しているために、図示しない受皿ヒンジを実施例１のパチンコ機よりもその取付強度をさらに大きくすることができる。
【図面の簡単な説明】
【図１】実施例１の遊技島に設置されたパチンコ機の正面図
【図２】前扉を開いた状態の正面図
【図３】図１におけるＡーＡ線で切断した一部の断面図
【図４】受皿扉を開いた状態の正面図
【図５】貸球供給ノズルをストッパに利用している状態の正面図
【図６】実施例２を示す一部の正面図
【図７】実施例２の受皿扉を開いた状態の正面図
【図８】従来のパチンコ機を示す斜視図
【図９】従来のパチンコ機の問題点を示す模式図である。
【符号の説明】
２…前面枠
３…前扉
４…受皿扉
２２…遊技領域
４１…球受皿
１００…遊技島
１０１…球貸機
１０２…球貸機本体
１０３…貸球供給ノズル
【図１】
2004313566.tif 000003
【図２】
2004313566.tif 000004
【図３】
2004313566.tif 000005
【図４】
2004313566.tif 000006
【図５】
2004313566.tif 000007
【図６】
2004313566.tif 000008
【図７】
2004313566.tif 000009
【図８】
2004313566.tif 000010
【図９】
2004313566.tif 000011